(57)【要約】【課題】公営競技投票の利用者の過度な利用を抑制することを目的とする。【解決手段】公営競技の投票を利用可能な会員の情報を管理する管理装置であって、会員の利用制限の設定を行う制限設定者の登録要求を受け付けた場合、会員の識別情報と制限設定者の識別情報とを対応付けて登録する登録部と、制限設定者から、会員の投票、入金または出金に関する利用制限内容の設定を受け付けた場合、会員の識別情報と制限設定者の識別情報と利用制限内容とを対応付けて設定する設定部と、会員の利用制限の確認要求を受信した場合、利用制限内容に基づいて利用判定を行う判定部と、会員の利用制限の確認要求の送信元に、利用判定に応じた通知を送信する通信部とを備える。【選択図】図１
2020087064.tif 000002
【特許請求の範囲】
【請求項１】
公営競技の投票を利用可能な会員の情報を管理する管理装置であって、
前記会員の利用制限の設定を行う制限設定者の登録要求を受け付けた場合、前記会員の識別情報と前記制限設定者の識別情報とを対応付けて登録する登録部と、
前記制限設定者から、前記会員の投票、入金または出金に関する利用制限内容の設定を受け付けた場合、前記会員の識別情報と前記制限設定者の識別情報と前記利用制限内容とを対応付けて設定する設定部と、
前記会員の利用制限の確認要求を受信した場合、前記利用制限内容に基づいて利用判定を行う判定部と、
前記会員の利用制限の確認要求の送信元に、前記利用判定に応じた通知を送信する通信部と
を備えることを特徴とする管理装置。
【請求項２】
前記利用制限内容は、前記会員が公営競技の投票を利用可能か否かを示す利用可否情報を含み、
前記判定部は、前記会員の利用制限の確認要求を受信した場合、前記利用可否情報に基づいて、前記会員が投票を利用可能か否かを判定し、
前記通信部は、前記会員が投票を利用不可であると判定された場合、利用不可であることを示す通知を送信する
ことを特徴とする請求項１記載の管理装置。
【請求項３】
前記利用制限内容は、所定期間における投票回数の上限を含み、
前記判定部は、前記会員の利用制限の確認要求を受信した場合、前記会員の前記所定期間内の投票回数と前記所定期間における投票回数の上限とに基づいて、前記会員が投票を利用可能か否かを判定し、
前記通信部は、前記会員が投票を利用不可であると判定された場合、利用不可であることを示す通知を送信する
ことを特徴とする請求項１または２記載の管理装置。
【請求項４】
前記利用制限内容は、所定期間における投票金額の上限を含み、
前記判定部は、前記会員の利用制限の確認要求を受信した場合、前記会員の前記所定期間内の投票金額と前記所定期間における投票金額の上限とに基づいて、前記会員が投票を利用可能か否かを判定し、
前記通信部は、前記会員が投票を利用不可であると判定された場合、利用不可であることを示す通知を送信する
ことを特徴とする請求項１乃至３のうち何れか１項に記載の管理装置。
【請求項５】
前記利用制限内容は、入金金額の上限を含み、
前記判定部は、前記会員の利用制限の確認要求を受信した場合、前記入金金額の上限に基づいて、前記会員の入金が可能か否かを判定し、
前記通信部は、前記会員の入金が不可であると判定された場合、入金が不可であることを示す通知を送信する
ことを特徴とする請求項１乃至４のうち何れか１項に記載の管理装置。
【請求項６】
前記利用制限内容は、所定期間における出金金額の上限を含み、
前記判定部は、前記会員の利用制限の確認要求を受信した場合、前記会員の前記所定期間内の出金金額と、前記所定期間における前記出金金額の上限とに基づいて、前記会員の出金が可能か否かを判定し、
前記通信部は、前記会員の出金が不可であると判定された場合、出金が不可であることを示す通知を送信する
ことを特徴とする請求項１乃至５のうち何れか１項に記載の管理装置。
【請求項７】
前記設定部は、前記制限設定者から、前記会員の顔画像データの設定を受け付けた場合、前記会員の識別情報と前記制限設定者の識別情報と前記顔画像データとを対応付けて設定し、
前記判定部は、現金投票端末から、前記会員の顔画像データと前記会員の顔画像データの確認要求を受信した場合、受信した前記会員の顔画像データと設定されている前記顔画像データとを照合し、受信した前記会員の顔画像データが、設定されているいずれかの前記顔画像データと一致する場合、前記会員が投票を利用不可であると判定し、
前記通信部は、前記会員が投票を利用不可であると判定された場合、利用不可であることを示す通知を前記現金投票端末に送信する
ことを特徴とする請求項１乃至６のうち何れか１項に記載の管理装置。
【請求項８】
コンピュータが、
公営競技の投票を利用可能な会員の情報を管理し、
前記会員の利用制限の設定を行う制限設定者の登録要求を受け付けた場合、前記会員の識別情報と前記制限設定者の識別情報とを対応付けて登録し、
前記制限設定者から、前記会員の投票、入金または出金に関する利用制限内容の設定を受け付けた場合、前記会員の識別情報と前記制限設定者の識別情報と前記利用制限内容とを対応付けて設定し、
前記会員の利用制限の確認要求を受信した場合、前記利用制限内容に基づいて利用判定を行い、
前記利用判定に応じた通知を送信する
処理を実行することを特徴とする管理方法。
【請求項９】
公営競技の投票を利用可能な会員の情報を管理する管理装置と、キャッシュレス投票端末と、現金投票端末と、入出金機とを備える投票システムであって、
前記管理装置は、
前記会員の利用制限の設定を行う制限設定者の登録要求を受け付けた場合、前記会員の識別情報と前記制限設定者の識別情報とを対応付けて登録する登録部と、
前記制限設定者から、前記会員の投票、入金または出金に関する利用制限内容の設定を受け付けた場合、前記会員の識別情報と前記制限設定者の識別情報と前記利用制限内容とを対応付けて設定する設定部と、
前記キャッシュレス投票端末、前記現金投票端末、または前記入出金機から、前記会員の利用制限の確認要求を受信した場合、前記利用制限内容に基づいて利用判定を行う判定部と、
前記会員の利用制限の確認要求の送信元に、前記利用判定に応じた通知を送信する通信部と
を含むことを特徴とする投票システム。
【発明の詳細な説明】
【技術分野】
【０００１】
本発明は、公営競技の投票に用いられる管理装置、管理方法、および投票システムに関する。
【背景技術】
【０００２】
競馬、競輪、競艇、またはオートレース等の公営競技の投票は、例えば、ＩＣカードを用いたプリペイド方式（キャッシュレス方式）または現金により行われる。例えば、利用者が予め会員登録を行って会員となり、登録された会員がＩＣカードで本人認証を行うことによりキャッシュレスで投票を行うことが可能となる。
【０００３】
関連する技術として、公営競技の投票を携帯電話で行い、投票金額の上限を定め、上限以下の金額での投票のみを可能とする公営競技投票システムが提案されている（例えば、特許文献１を参照）。
【０００４】
また、関連する技術として、カード利用者データベースとカードを使用したキャッシュレスでの投票が行われるキャッシュレス投票装置を有する公営競技情報システムが提案されている（例えば、特許文献２を参照）。
【０００５】
また、関連する技術として、本人確認のためのデータベースを有する本人確認サーバに接続されたスポーツくじ又は公営競技の投票券の購入のための購入仲介サーバが提案されている（例えば、特許文献３を参照）。
【先行技術文献】
【特許文献】
【０００６】
【特許文献１】特開２００２−１２３６４２号公報
【特許文献２】特開２００５−９２３５０号公報
【特許文献３】特開２０１０−７９８９１号公報
【発明の概要】
【発明が解決しようとする課題】
【０００７】
公営競技の投票を行う際の会員登録、投票、入金および出金は、会員本人により行われるが、投票、入金および出金を自由に行うことが可能であるとすると過度な利用をする可能性がある。例えば、利用者が、多額の現金を入金したり、頻繁に投票することにより、ギャンブル依存症に陥るおそれがある。
【０００８】
１つの側面として、本発明は、公営競技投票の利用者の過度な利用を抑制することを目的とする。
【課題を解決するための手段】
【０００９】
１つの態様では、管理装置は、公営競技の投票を利用可能な会員の情報を管理する。また、管理装置は、前記会員の利用制限の設定を行う制限設定者の登録要求を受け付けた場合、前記会員の識別情報と前記制限設定者の識別情報とを対応付けて登録する登録部と、前記制限設定者から、前記会員の投票、入金または出金に関する利用制限内容の設定を受け付けた場合、前記会員の識別情報と前記制限設定者の識別情報と前記利用制限内容とを対応付けて設定する設定部と、前記会員の利用制限の確認要求を受信した場合、前記利用制限内容に基づいて利用判定を行う判定部と、前記会員の利用制限の確認要求の送信元に、前記利用判定に応じた通知を送信する通信部とを備える。
【００１０】
別の態様では、管理方法は、コンピュータが、公営競技の投票を利用可能な会員の情報を管理し、前記会員の利用制限の設定を行う制限設定者の登録要求を受け付けた場合、前記会員の識別情報と前記制限設定者の識別情報とを対応付けて登録し、前記制限設定者から、前記会員の投票、入金または出金に関する利用制限内容の設定を受け付けた場合、前記会員の識別情報と前記制限設定者の識別情報と前記利用制限内容とを対応付けて設定し、前記会員の利用制限の確認要求を受信した場合、前記利用制限内容に基づいて利用判定を行い、前記利用判定に応じた通知を送信する。
【００１１】
別の態様では、投票システムは、公営競技の投票を利用可能な会員の情報を管理する管理装置と、キャッシュレス投票端末と、現金投票端末と、入出金機とを備える。前記管理装置は、前記会員の利用制限の設定を行う制限設定者の登録要求を受け付けた場合、前記会員の識別情報と前記制限設定者の識別情報とを対応付けて登録する登録部と、前記制限設定者から、前記会員の投票、入金または出金に関する利用制限内容の設定を受け付けた場合、前記会員の識別情報と前記制限設定者の識別情報と前記利用制限内容とを対応付けて設定する設定部と、前記キャッシュレス投票端末、前記現金投票端末、または前記入出金機から、前記会員の利用制限の確認要求を受信した場合、前記利用制限内容に基づいて利用判定を行う判定部と、前記会員の利用制限の確認要求の送信元に、前記利用判定に応じた通知を送信する通信部とを含む。
【発明の効果】
【００１２】
１つの側面によれば、公営競技投票の利用者の過度な利用を抑制することができる。
【図面の簡単な説明】
【００１３】
【図１】実施形態の投票システムの全体構成の一例を示す図である。
【図２】会員情報の一例を示す図である。
【図３】制限情報の一例を示す図である。
【図４】ログイン画面の一例を示す図である。
【図５】利用制限設定画面の一例を示す図である。
【図６】利用制限時の画面の一例を示す図である。
【図７】制限設定者登録処理の一例を示すシーケンス図である。
【図８】利用制限設定処理の一例を示すシーケンス図である。
【図９】投票前の本人認証において、利用可能と判定される場合の処理を示すシーケンス図である。
【図１０】投票前の本人認証において、利用が制限される場合の処理を示すシーケンス図である。
【図１１】投票において制限内である場合の処理を示すシーケンス図（その１）である。
【図１２】投票において制限内である場合の処理を示すシーケンス図（その２）である。
【図１３】投票において利用が制限される場合の処理を示すシーケンス図である。
【図１４】制限内である場合の入金処理の一例を示すシーケンス図（その１）である。
【図１５】制限内である場合の入金処理の一例を示すシーケンス図（その２）である。
【図１６】利用制限される場合の入金処理の一例を示すシーケンス図である。
【図１７】利用制限内における出金処理の一例を示すシーケンス図（その１）である。
【図１８】利用制限内における出金処理の一例を示すシーケンス図（その２）である。
【図１９】利用制限される場合の出金処理の一例を示すシーケンス図である。
【図２０】現金投票端末の処理の一例を示すシーケンス図である。
【図２１】管理サーバのハードウェア構成の一例を示す図である。
【図２２】キャッシュレス投票端末のハードウェア構成の一例を示す図である。
【図２３】現金投票端末のハードウェア構成の一例を示す図である。
【図２４】入出金機のハードウェア構成の一例を示す図である。
【発明を実施するための形態】
【００１４】
以下、図面を参照して、実施形態について説明する。図１は、実施形態の投票システムの全体構成の一例を示す図である。実施形態のシステムは、管理サーバ１と投票サーバ２とネットワーク機器３とキャッシュレス投票端末４と現金投票端末５と入出金機６とＷｅｂサーバ７と情報処理端末８とを含む。
【００１５】
管理サーバ１、投票サーバ２、キャッシュレス投票端末４、現金投票端末５および入出金機６は、ネットワーク機器３を介して、専用回線またはＶＰＮ（Virtual Private Network）等を用いて通信を行う。Ｗｅｂサーバ７および情報処理端末８は、例えば、インターネット回線を用いて通信を行う。
【００１６】
管理サーバ１は、登録部１１と設定部１２と判定部１３と通信部１４と記憶部１５とを含み、公営競技の投票を利用可能な会員の情報を管理する。管理サーバ１は、管理装置およびコンピュータの一例である。公営競技は、例えば、競馬、競輪、競艇、またはオートレース等である。
【００１７】
登録部１１は、会員の利用制限の設定を行う制限設定者の登録要求を受け付けた場合、会員の識別情報と制限設定者の識別情報とを対応付けて登録する。制限設定者は、会員本人以外の人であり、例えば、会員の親族等である。
【００１８】
設定部１２は、制限設定者から、会員の投票、入金または出金に関する利用制限内容の設定を受け付けた場合、会員の識別情報および制限設定者の識別情報と利用制限内容とを対応付けて設定する。設定部１２は、制限設定者から、顔画像データの設定を受け付けた場合、会員の識別情報および制限設定者の識別情報と顔画像データとを対応付けて設定する。
【００１９】
判定部１３は、会員の利用制限の確認要求を受信した場合、設定部１２が設定した利用制限内容に基づいて利用判定を行う。判定部１３は、例えば、投票前の本人認証において、キャッシュレス投票端末４から会員の利用制限の確認要求を受信した場合、利用制限内容に含まれる利用可否情報に基づいて、会員が投票を利用可能であると判定する。
【００２０】
判定部１３は、例えば、キャッシュレス投票端末４から会員の利用制限の確認要求を受信した場合、会員の所定期間内の投票回数と、利用制限内容に含まれる所定期間内の投票回数の上限とに基づいて、会員の投票が可能かを判定する。判定部１３は、例えば、キャッシュレス投票端末４から会員の利用制限の確認要求を受信した場合、会員の所定期間内の投票金額と、利用制限内容に含まれる所定期間内の投票金額の上限とに基づいて、会員の投票が可能かを判定する。
【００２１】
判定部１３は、会員が入金を行う際に、入出金機６から会員の利用制限の確認要求を受信した場合、現在の会員用口座の残金と利用制限内容に含まれる入金金額の上限とに基づいて、会員の入金が可能かを判定する。判定部１３は、会員が出金を行う際に、入出金機６から会員の利用制限の確認要求を受け付けた場合、利用制限内容に含まれる所定期間内の出金金額の上限に基づいて、会員の出金が可能かを判定する。
【００２２】
通信部１４は、投票サーバ２、キャッシュレス投票端末４、現金投票端末５、および入出金機６と、ネットワーク機器３を介して各種情報の送受信を行う。通信部１４は、例えば、判定部１３の利用判定に応じた通知をキャッシュレス投票端末４、現金投票端末５、または入出金機６に送信する。また、通信部１４は、Ｗｅｂサーバ７と各種情報の送受信を行う。
【００２３】
投票サーバ２は、投票内容に関するデータ、開催場等のレース内容に関するデータを記憶する。ネットワーク機器３は、例えば、スイッチまたはルータ等であり、管理サーバ１、投票サーバ２、キャッシュレス投票端末４、現金投票端末５、および入出金機６の間の通信を中継する。
【００２４】
キャッシュレス投票端末４は、ＩＣカードリーダ４１と制御ユニット４２とカード読み取りユニット４３と表示部４４とを含む。キャッシュレス投票端末４は、ＩＣカードを用いたキャッシュレス投票に用いられる。例えば、会員は、ＩＣカードにより本人確認を行い、プリペイド方式により予め会員用口座に入金した金額内で投票を行うことができる。
【００２５】
ＩＣカードリーダ４１は、タッチされたＩＣカードを読み取り、読み取った情報を制御ユニット４２に出力する。制御ユニット４２は、ＩＣカードリーダ４１、カード読み取りユニット４３、表示部４４への動作指示、管理サーバ１との通信に関する制御等を行う。
【００２６】
カード読み取りユニット４３は、投票カードが挿入された場合、挿入された投票カードに記載された投票内容を読み取り、読み取った投票内容を制御ユニット４２に出力する。表示部４４は、制御ユニット４２の指示に応じて各種メッセージ等を表示する。表示部４４は、例えば、タッチパネルディスプレイであり、情報を表示するとともに利用者からの操作を受け付けることができる。
【００２７】
現金投票端末５は、顔認証センサ５１と制御ユニット５２とカード読み取りユニット５３と表示部５４と現金ユニット５５とを含む。現金投票端末５を用いる場合、会員は、ＩＣカードによる本人確認を行わず、現金を投入することにより投票を行うことができる。
【００２８】
顔認証センサ５１は、操作者の顔を撮影して顔画像データを取得し、顔画像データを制御ユニット５２に出力する。顔認証により、利用者が利用制限されている会員であると判定された場合、現金投票端末５の利用が中止される。制御ユニット５２は、顔認証センサ５１、カード読み取りユニット５３、表示部５４、現金ユニット５５への動作指示、管理サーバ１との通信に関する制御等を行う。
【００２９】
カード読み取りユニット５３は、投票カードが挿入された場合、挿入された投票カードに記載された投票内容を読み取り、読み取った投票内容を制御ユニット５２に出力する。表示部５４は、制御ユニット５２の指示に応じて各種メッセージ等を表示する。表示部５４は、例えば、タッチパネルディスプレイであり、情報を表示するとともに利用者からの操作を受け付けることができる。現金ユニット５５は、現金の入金口および出金口を含み、現金の入金および出金を行う。
【００３０】
入出金機６は、ＩＣカードリーダ６１と制御ユニット６２と現金ユニット６３と表示部６４とを含む。ＩＣカードリーダ６１は、タッチされたＩＣカードを読み取り、読み取った情報を制御ユニット６２に出力する。制御ユニット６２は、ＩＣカードリーダ６１、現金ユニット６３、表示部６４への動作指示、管理サーバ１との通信に関する制御等を行う。現金ユニット６３は、現金の入金口および出金口を含み、現金の入金および出金を行う。表示部６４は、制御ユニット６２の指示に応じて各種メッセージ等を表示する。表示部６４は、例えば、タッチパネルディスプレイであり、情報を表示するとともに利用者からの操作を受け付けることができる。
【００３１】
Ｗｅｂサーバ７は、表示制御部７１と通信部７２とを含む。表示制御部７１は、情報処理端末８に表示させる、会員および制限設定者用のＨＰ（Home Page）の表示内容を制御する。通信部７２は、管理サーバ１および情報処理端末８と各種情報の送受信を行う。
【００３２】
情報処理端末８は、会員または制限設定者が利用するパーソナルコンピュータまたは携帯端末等である。情報処理端末８は、利用者の操作に応じてＷｅｂサーバ７にアクセスし、会員および制限設定者用のＨＰを表示する。
【００３３】
図２は、会員情報の一例を示す図である。会員情報は、管理サーバ１の記憶部１５に記憶される。図２に示すように、会員情報として、会員ＩＤ、暗証番号、パスワード、残金、投票回数、および投票金額が対応付けて記憶されている。会員ＩＤおよび暗証番号は、会員登録の際に登録される。暗証番号は、キャッシュレス投票の際に用いられる。なお、管理サーバ１は、暗証番号の代わりに手のひら静脈認証データを登録してもよい。パスワードは、ＨＰのログインに用いるパスワードであり、Ｗｅｂサーバ７が会員のＨＰへの登録を受け付けた際に登録される。残金は、会員用口座に入金されている金額であり入出金機６からの入出金情報に基づいて更新される。出金金額は、所定期間内の出金金額の合計である。投票回数および投票金額は、所定期間内の投票回数および投票金額であり、キャッシュレス投票端末４および現金投票端末５から受け付けた投票内容に応じて更新される。所定期間は、例えば、１ヶ月、１週間、または１日等である。
【００３４】
図３は、制限情報の一例を示す図である。制限情報は、会員の利用制限に関する情報であり、管理サーバ１の記憶部１５に記憶される。図３に示すように、制限情報として、会員ＩＤ、制限設定者ＩＤ、制限設定者パスワード、利用可否、投票回数上限、投票金額上限、入金金額上限、出金金額上限および顔画像データが対応付けて記憶されている。図３に示す会員ＩＤを除く各情報は、制限設定者の登録の際に設定される。利用可否、投票回数上限、投票金額上限、入金金額上限、出金金額上限および顔画像データは利用制限内容の一例である。
【００３５】
利用可否は、会員が投票を利用可能かを示す情報である。投票回数上限は、所定期間あたりの投票回数の上限を示す。投票金額上限は、所定期間あたりの投票金額の上限を示す。投票回数上限および投票金額上限に用いる所定期間は、例えば、１ヶ月、１週間、または１日等であり、会員情報の投票回数および投票金額に用いる期間と同じ期間が適用される。
【００３６】
入金金額上限は、キャッシュレス投票に用いる入金金額の上限（残金の上限）を示す。出金金額上限は、所定期間あたりの出金金額の上限を示す。出金金額上限に用いる所定期間は、例えば、１ヶ月、１週間、または１日等であり、会員情報の出金金額に用いる期間と同じ期間が適用される。顔画像データは、会員の顔を撮影して得られた画像データであり、制限設定者の登録の際に登録され、現金投票端末５による顔認証に用いられる。
【００３７】
図４は、ログイン画面の一例を示す図である。図４に示すログイン画面は、会員用ＨＰにおけるログイン画面であり、利用者の操作に応じて、情報処理端末８に表示される。ログイン画面は、会員ＩＤを入力するためのテキストボックス１０１、会員のパスワードを入力するためのテキストボックス１０２、会員のログインに用いられるログインボタン１０３を含む。さらに、ログイン画面は、制限設定者ＩＤを入力するためのテキストボックス１０４、制限設定者のパスワードを入力するためのテキストボックス１０５、制限設定者のログインに用いられるログインボタン１０６を含む。
【００３８】
会員がログインする場合、会員ＩＤおよびパスワードが入力され、ログインボタン１０３が押下される。入力された会員ＩＤおよびパスワードが正しい場合、会員用画面に遷移する。制限設定者がログインする場合、制限設定者ＩＤおよびパスワードが入力され、ログインボタン１０６が押下される。入力された制限設定者ＩＤおよびパスワードが正しい場合、利用制限設定画面に遷移する。
【００３９】
図５は、利用制限設定画面の一例を示す図である。図５に示す画面は、図４に示す画面から制限設定者がログインした際に表示される。利用制限設定画面には、利用可否を設定するためのラジオボタン２０１、２０２、投票回数上限を入力するためのテキストボックス２０３、投票金額上限を入力するためのテキストボックス２０４、入金上限を入力するためのテキストボックス２０５、出金上限を入力するためのテキストボックス２０６が表示される。図５の利用制限設定画面における入金金額上限及び出金金額上限は、それぞれ、図３の制限情報における入金金額上限及び出金金額上限に対応する。
【００４０】
各設定項目が入力され、設定ボタン２０７が押下されると、入力された利用制限内容がＷｅｂサーバ７を介して管理サーバ１に送信され、制限情報として設定される。キャンセルボタン２０８が押下された場合、例えば、前の画面に戻る。
【００４１】
図６は、利用制限時の画面の一例を示す図である。図６に示す画面は、例えば、投票の際に、利用制限により投票が制限される場合、キャッシュレス投票端末４の表示部４４または現金投票端末５の表示部５４に表示される。
【００４２】
図７は、制限設定者登録処理の一例を示すシーケンス図である。情報処理端末８は、利用者（会員）から、会員ＨＰへの登録操作を受け付けた場合、Ｗｅｂサーバ７に、会員ＨＰへの登録要求を送信する（ステップＳ１０１）。Ｗｅｂサーバ７の表示制御部７１は、会員ＩＤの入力を要求するメッセージを情報処理端末８に表示させる（ステップＳ１０２）。会員ＩＤは、予め登録されているとする。情報処理端末８は、利用者から会員ＩＤの入力操作を受け付け、Ｗｅｂサーバ７に、入力された会員ＩＤを送信する（ステップＳ１０３）。
【００４３】
Ｗｅｂサーバ７の通信部７２は、管理サーバ１に、会員ＩＤを送信するとともに会員ＩＤの確認要求を送信する（ステップＳ１０４）。管理サーバ１の登録部１１は、送信された会員ＩＤが会員情報に存在するか判定する。存在する場合、通信部１４は、会員ＩＤの確認が完了したことを示す通知をＷｅｂサーバ７に送信する（ステップＳ１０５）。
【００４４】
Ｗｅｂサーバ７の表示制御部７１は、ＨＰログイン用のパスワードの設定を要求するメッセージを情報処理端末８に表示させる（ステップＳ１０６）。情報処理端末８は、利用者からパスワードの入力操作を受け付け、Ｗｅｂサーバ７に、入力されたパスワードを送信する（ステップＳ１０７）。なお、ステップＳ１０７により利用者のＨＰログイン用のパスワードを受信した後、Ｗｅｂサーバ７は、そのパスワードを管理サーバ１に送信する。管理サーバ１の登録部１１は、受信したパスワードを、利用者の会員ＩＤと対応付けて会員情報に登録する。
【００４５】
また、情報処理端末８は、利用者から制限設定者の登録操作を受け付けた場合、Ｗｅｂサーバ７に、制限設定者の登録要求を送信する（ステップＳ１０８）。Ｗｅｂサーバ７は、制限設定者のＩＤおよびパスワードの設定を要求するメッセージを情報処理端末８に表示させる（ステップＳ１０９）。情報処理端末８は、利用者から制限設定者のＩＤおよびパスワードの入力操作を受け付け、Ｗｅｂサーバ７に、入力されたＩＤおよびパスワードを送信する（ステップＳ１１０）。
【００４６】
Ｗｅｂサーバ７の通信部７２は、管理サーバ１に制限設定者ＩＤおよびパスワードを送信するとともに制限設定者の登録要求を送信する（ステップＳ１１１）。管理サーバ１の登録部１１は、ステップＳ１０３で送信された会員ＩＤと、ステップＳ１１１で送信された制限設定者ＩＤおよびパスワードとを対応付けて制限情報に登録する（ステップＳ１１２）。通信部１４は、制限設定者の登録が完了したことを示す通知をＷｅｂサーバ７に送信する（ステップＳ１１３）。Ｗｅｂサーバ７の表示制御部７１は、制限設定者の登録が完了したことを示すメッセージを情報処理端末８に表示させる（ステップＳ１１４）。
【００４７】
図８は、利用制限設定処理の一例を示すシーケンス図である。情報処理端末８は、制限設定者から会員用ＨＰの表示操作を受け付けた場合、Ｗｅｂサーバ７にアクセスして、ＨＰ（例えば、図４）を表示させる（ステップＳ２０１）。Ｗｅｂサーバ７の表示制御部７１は、情報処理端末８にＩＤとパスワードの入力を要求するメッセージを表示させる（ステップＳ２０２）。情報処理端末８は、制限設定者から入力された制限設定者ＩＤおよびパスワードを送信する（ステップＳ２０３）。
【００４８】
Ｗｅｂサーバ７の通信部７２は、管理サーバ１に、制限設定者ＩＤおよびパスワードを送信するとともに、制限設定者ＩＤおよびパスワードが登録されているかの確認要求を送信する（ステップＳ２０４）。送信された制限設定者ＩＤおよびパスワードが制限情報に登録されている制限設定者ＩＤおよびパスワードである場合、管理サーバ１の通信部１４は、確認が完了したことを示す通知をＷｅｂサーバ７に送信する（ステップＳ２０５）。
【００４９】
Ｗｅｂサーバ７の表示制御部７１は、情報処理端末８の表示画面に利用制限設定画面（例えば、図５参照）を表示させる（ステップＳ２０６）。情報処理端末８は、制限設定者から利用可否、および投票回数上限、投票金額上限、入金金額上限、出金金額上限を含む利用制限内容を受け付け、利用制限内容をＷｅｂサーバ７に送信する（ステップＳ２０７）。Ｗｅｂサーバ７の通信部７２は、管理サーバ１に、その利用制限内容を送信する（ステップＳ２０８）。管理サーバ１の設定部１２は、ステップＳ２０４で受信した制限設定者ＩＤと、その制限設定者ＩＤに対応付けられている会員ＩＤと、受信した利用制限内容とを対応付けて、制限情報に設定する（ステップＳ２０９）。既に利用制限内容が設定されている場合は、設定部１２は、新たに送信された利用制限内容で、制限情報を更新する。そして、通信部１４は、設定が完了したことを示す通知をＷｅｂサーバ７に送信する（ステップＳ２１０）。そして、Ｗｅｂサーバ７の表示制御部７１は、設定が完了したことを示すメッセージを情報処理端末８に表示させる（ステップＳ２１１）。
【００５０】
なお、顔認証による現金投票端末５の利用制限を行う場合、設定部１２は、顔画像データを受信し、会員ＩＤおよび制限設定者ＩＤと受信した顔画像データとを対応付けて制限情報として設定してもよい。
【００５１】
図９は、投票前の本人認証において、利用可能と判定される場合の処理を示すシーケンス図である。利用者（会員）は、キャッシュレス投票端末４のＩＣカードリーダ４１にＩＣカードをタッチする（ステップＳ３０１）。ＩＣカードリーダ４１は、ＩＣカードの情報を読み取り、制御ユニット４２に、読み取った情報を出力する（ステップＳ３０２）。ＩＣカードから読み取られる情報は、例えば、会員ＩＤを含む。
【００５２】
制御ユニット４２は、キャッシュレス投票端末４の表示部４４に暗証番号入力を要求する通知を表示させることにより、暗証番号の入力を会員に要求する（ステップＳ３０３）。会員は、タッチパネル（表示部４４）を用いて、暗証番号を入力する（ステップＳ３０４）。制御ユニット４２は、ＩＣカードから読み取った会員ＩＤと入力された暗証番号とを管理サーバ１に送信するとともに、その会員ＩＤおよび暗証番号が、登録された会員ＩＤおよび暗証番号と一致するかの確認を管理サーバ１に要求する（ステップＳ３０５）。
【００５３】
管理サーバ１の判定部１３は、受信した会員ＩＤおよび暗証番号が会員情報に登録されたいずれかの会員ＩＤおよび暗証番号と一致するかを確認する（ステップＳ３０６）。いずれかの会員ＩＤおよび暗証番号と一致する場合、管理サーバ１の通信部１４は、会員ＩＤおよび暗証番号が登録された情報と一致したことを示す通知をキャッシュレス投票端末４に送信する（ステップＳ３０７）。
【００５４】
なお、暗証番号の代わりに手のひら静脈認証データが会員情報として登録されている場合、手のひら静脈認証データを用いた認証を行ってもよい。その場合、キャッシュレス投票端末４は、利用者の手のひら静脈を撮影し、手のひら静脈認証データを管理サーバ１に送信する。そして、管理サーバ１は、受信した会員ＩＤおよび手のひら静脈認証データが会員情報に登録されたいずれかの会員ＩＤおよび手のひら静脈認証データと一致するかを確認する。
【００５５】
ステップＳ３０８の処理後、制御ユニット４２は、会員の利用制限の確認要求を管理サーバ１に送信する（ステップＳ３０８）。管理サーバ１の判定部１３は、制限情報の利用制限内容に基づいて利用可否を判定する（ステップＳ３０９）。管理サーバ１の判定部１３は、例えば、制限情報における会員ＩＤと対応付けられた「利用可否」項目の情報に基づいて、利用可否を判定する。また、管理サーバ１の判定部１３は、会員情報における所定期間内の投票回数が、制限情報に設定された投票回数上限未満であるか、会員情報における所定期間内の投票金額が制限情報に設定された投票金額未満であるかに基づいて利用可否を判定してもよい。
【００５６】
会員が投票を利用可能であると判定された場合、通信部１４は、利用可能であることを示す通知をキャッシュレス投票端末４に送信する（ステップＳ３１０）。そして、制御ユニット４２は、キャッシュレス投票端末４の表示部４４に本人確認が完了したことを示すメッセージを表示させることにより、本人確認完了を会員に通知する（ステップＳ３１１）。
【００５７】
図１０は、投票前の本人認証において、利用が制限される場合の処理を示すシーケンス図である。図１０のステップＳ４０１〜Ｓ４０９までの処理は、それぞれ、図９に示すステップＳ３０１〜３０９と同様であるため、説明を省略する。なお、図１０に示す例では、ステップＳ４０９の判定において、利用制限内容に基づいて利用不可であると判定されたとする。管理サーバ１の通信部１４は、利用不可であることを示す通知をキャッシュレス投票端末４に送信する（ステップＳ４１０）。制御ユニット４２は、利用不可であることを示すメッセージ（例えば、図６参照）を表示部４４に表示することにより、利用不可であることを会員に通知する（ステップＳ４１１）。
【００５８】
図１１および図１２は、投票において制限内である場合の処理を示すシーケンス図である。図１１および図１２に示す処理は、図９による本人認証が終了した後に行われる処理である。会員は、キャッシュレス投票端末４の表示部４４に表示された項目のうち「投票」を選択したとする（ステップＳ５０１）。制御ユニット４２は、カード読み取りユニット４３に動作指示を出力する（ステップＳ５０２）。カード読み取りユニット４３は、動作準備を行い、準備が完了した場合、準備が完了したことを制御ユニット４２に通知する（ステップＳ５０３）。
【００５９】
制御ユニット４２は、表示部４４に投票カードを挿入すること要求するメッセージを表示させることにより、投票カードの挿入を会員に要求する（ステップＳ５０４）。会員は、投票内容を記入した投票カードをカード読み取りユニット４３に挿入する（ステップＳ５０５）。カード読み取りユニット４３は、挿入された投票カードに記載された投票内容を読み取り、読み取った投票内容を制御ユニット４２に出力する（ステップＳ５０６）。投票内容は、例えば、競馬の投票である場合、式別、馬番、投票金額等である。
【００６０】
制御ユニット４２は、管理サーバ１に、投票内容（投票金額を含む）を送信するとともに投票に関する会員の利用制限の確認を管理サーバ１に要求する（ステップＳ５０７）。管理サーバ１の判定部１３は、会員情報と制限情報に基づいて、会員の投票が可能かを判定する（ステップＳ５０８）。管理サーバ１の判定部１３は、例えば、会員情報における所定期間内の投票回数と制限情報における所定期間内の投票回数上限に基づいて、会員の投票が可能かを判定する。例えば、判定部１３は、会員情報における所定期間内の投票回数が制限情報に記録された投票回数上限未満である場合、会員の投票が可能であると判定する。また、判定部１３は、管理サーバ１は、投票金額が制限情報における投票金額上限以下であるかに基づいて、会員の投票が可能かを判定してもよい。例えば、判定部１３は、会員情報における所定期間内の投票金額と今回の投票金額の合計が、制限情報に記録された所定期間内の投票金額上限以下である場合、会員の投票が可能であると判定する。判定部１３は、投票回数に基づく判定と投票金額による判定を両方行ってもよいし、いずれか一方を行ってもよい。
【００６１】
投票内容が制限内であった場合、管理サーバ１は、投票が可能であることを示す通知をキャッシュレス投票端末４に送信する（ステップＳ５０９）。制御ユニット４２は、投票内容を投票サーバ２に送信する（ステップＳ５１０）。投票サーバ２は、受信した投票内容を記録し、投票内容を受け付けたことを示す通知をキャッシュレス投票端末４に送信する（ステップＳ５１１）。
【００６２】
その後、図１２に示すように、制御ユニット４２は、ＩＣカードリーダ４１に動作指示を出力する（ステップＳ５１２）。ＩＣカードリーダ４１は、ＩＣカードを読み取る準備を行い、準備が完了したことを制御ユニット４２に通知する（ステップＳ５１３）。制御ユニット４２は、ＩＣカードをタッチすることを要求するメッセージを表示部４４に表示させることにより、ＩＣカードリーダ４１にＩＣカードをタッチすることを会員に要求する（ステップＳ５１４）。会員は、ＩＣカードリーダ４１にＩＣカードをタッチする（ステップＳ５１５）。ＩＣカードリーダ４１は、ＩＣカードに記録された情報を読み取り、読み取った情報を制御ユニット４２に出力する（ステップＳ５１６）。
【００６３】
制御ユニット４２は、投票サーバ２に投票確定を要求する（ステップＳ５１７）。投票サーバ２は、ステップＳ５１０で受信した投票内容を確定した投票内容として記録し、制御ユニット４２に投票を確定したことを通知する（ステップＳ５１８）。制御ユニット４２は、会員情報の残金および投票回数の更新を管理サーバ１に要求する（ステップＳ５１９）。管理サーバ１は、会員情報の残金から投票金額を減額し、投票回数を１増加させ、会員情報を更新したことを制御ユニット４２に通知する（ステップＳ５２０）。制御ユニット４２は、投票受付が完了したことを表示部４４に表示させることにより、投票受付が完了したことを会員に通知する（ステップＳ５２１）。
【００６４】
図１３は、投票において利用が制限される場合の処理を示すシーケンス図である。図１３のステップＳ６０１〜Ｓ６０８の処理は、それぞれ、図１１のステップＳ５０１〜Ｓ５０８の処理と同様であるため、説明を省略する。
【００６５】
例えば、ステップＳ６０８の判定において、会員情報における所定期間内の投票回数が制限情報における所定期間内の投票回数上限以上であったとする。または、会員情報における所定期間内の投票金額と制御ユニット４２から受信した投票内容が示す投票金額との合計が制限情報における所定期間内の投票金額上限を超えていたとする。この場合、管理サーバ１の判定部１３は、投票が制限内ではないため、利用不可であると判定する。
【００６６】
管理サーバ１の通信部１４は、投票内容が制限内ではないため利用不可であることを示す通知をキャッシュレス投票端末４に送信する（ステップＳ６０９）。制御ユニット４２は、投票が制限内でないため利用不可であることを示すメッセージ（例えば、図６参照）を表示部４４に表示させることにより、利用不可であることを会員に通知する（ステップＳ６１０）。
【００６７】
以上のように、管理サーバ１は、設定された利用可否情報、投票金額上限、投票回数上限により利用制限を行うことにより、利用者の過度な利用を抑制することができる。
【００６８】
なお、キャッシュレス投票端末４を用いた投票について説明したが、会員はＷｅｂ上のＨＰから投票可能であってもよい。例えば、会員が情報処理端末８を用いて図４に示すログイン画面からログインし、投票内容を入力し、Ｗｅｂサーバ７を介して投票を行うことが可能であってもよい。その場合、管理サーバ１は、図１１〜１３の例に示した処理と同様に、利用制限の判定等の処理を行う。
【００６９】
図１４および図１５は、制限内である場合の入金処理の一例を示すシーケンス図である。なお、図１４および図１５の処理の前に、図９に示すようなＩＣカードを用いた本人認証と同様の処理が行われているとする。その場合、ステップＳ３０９において、判定部１３は、制限情報における会員ＩＤと対応付けられた「利用可否」項目の情報に基づいて、利用可否を判定し、投票回数に関する判定は行わない。
【００７０】
会員が入出金機６の表示部６４に表示された項目のうち「入金」を選択すると、選択内容が制御ユニット６２に送られる（ステップＳ７０１）。制御ユニット６２は、入金の利用制限の確認を管理サーバ１に要求する（ステップＳ７０２）。管理サーバ１の判定部１３は、会員情報に記録された現在の残金が制限情報の入金金額上限未満であるか判定することにより入金可能かを判定する（ステップＳ７０３）。通信部１４は、入金が可能であることを入出金機６の制御ユニット６２に通知する（ステップＳ７０４）。
【００７１】
制御ユニット６２は、現金ユニット６３に対して動作を指示する（ステップＳ７０５）。現金ユニット６３は、入金準備を行い、準備が完了したことを制御ユニット６２に通知する（ステップＳ７０６）。制御ユニット６２は、表示部６４に入金を要求するメッセージを表示させることにより、現金ユニット６３への現金の入金を会員に要求する（ステップＳ７０７）。会員は、現金ユニット６３に現金の入金を行う（ステップＳ７０８）。現金ユニット６３は、入金された現金を検出し、入金金額を制御ユニット６２に通知する（ステップＳ７０９）。
【００７２】
制御ユニット６２は、管理サーバ１に入金金額を通知するとともに入金の利用制限の確認を要求する（ステップＳ７１０）。判定部１３は、会員情報における残金と今回の入金金額との合計が制限情報における入金上限以下であるか判定することにより入金可能かを判定する（ステップＳ７１１）。入金可能であると判定された場合、通信部１４は、会員情報における残金と今回の入金金額の合計が入金上限以下であり、入金が可能であることを制御ユニット６２に通知する（ステップＳ７１２）。
【００７３】
制御ユニット６２は、表示部６４に、入金金額と金額の確認を要求するメッセージを表示させることにより、入金の確認を会員に要求する（ステップＳ７１３）。例えば、会員が表示部６４に表示された確定ボタンをタッチすると、確定が選択されたことを示す通知が制御ユニット６２に送られる（ステップＳ７１４）。制御ユニット６２は、ＩＣカードリーダ６１に動作指示を出力する（ステップＳ７１５）。ＩＣカードリーダ６１は、ＩＣカードを読み取る準備を行い、準備が完了したことを制御ユニット６２に通知する（ステップＳ７１６）。
【００７４】
制御ユニット６２は、表示部６４にＩＣカードをタッチさせる要求を示すメッセージを表示させることにより、ＩＣカードをＩＣカードリーダ６１にタッチさせることを会員に要求する（ステップＳ７１７）。会員は、表示されたメッセージに応じて、ＩＣカードをＩＣカードリーダ６１にタッチする（ステップＳ７１８）。ＩＣカードリーダ６１は、タッチされたＩＣカードの情報を読み取り、読み取った情報を制御ユニット６２に出力する（ステップＳ７１９）。
【００７５】
制御ユニット６２は、入金が確定したことを示す通知を管理サーバ１に送信する（ステップＳ７２０）。管理サーバ１は、会員情報の残金に入金金額を加算し、入金が完了したことを示す通知を制御ユニット６２に送信する（ステップＳ７２１）。制御ユニット６２は、入金が完了したことを示すメッセージを表示部６４に表示させて、会員に通知する（ステップＳ７２２）。
【００７６】
図１６は、利用制限される場合の入金処理の一例を示すシーケンス図である。なお、図１６の処理の前に、図９に示すようなＩＣカードを用いた本人認証と同様の処理が行われているとする。その場合、ステップＳ３０９において、判定部１３は、制限情報における会員ＩＤと対応付けられた「利用可否」項目の情報に基づいて、利用可否を判定し、投票回数に関する判定は行わない。
【００７７】
会員が入出金機６の表示部６４に表示された項目のうち「入金」を選択すると、選択内容が制御ユニット６２に送信される（ステップＳ８０１）。制御ユニット６２は、入金の利用制限の確認を管理サーバ１に要求する（ステップＳ８０２）。管理サーバ１の判定部１３は、会員情報に記録された現在の残金が制限情報の入金上限未満であるか判定することにより入金可能かを判定する（ステップＳ８０３）。通信部１４は、会員情報に記録された現在の残金が制限情報の入金上限以上である場合、入金不可であることを制御ユニット６２に通知する（ステップＳ８０４）。制御ユニット６２は、表示部６４に、入金上限を超えるため、入金不可であることを示すメッセージを表示させることにより、会員に入金不可を通知する（ステップＳ８０５）。
【００７８】
なお、図１４のステップＳ７１１で入金不可であると判定された場合も、ステップＳ８０４およびＳ８０５と同様の処理が行われる。例えば、判定部１３は、ステップＳ７１１において、会員情報における残金と今回の入金金額との合計が制限情報における入金上限を超える場合、入金不可であると判定する。
【００７９】
以上のように、管理サーバ１は、設定された入金上限により入金制限を行うことにより、利用者の過度な利用を抑制することができる。
【００８０】
図１７および図１８は、利用制限内における出金処理の一例を示すシーケンス図である。なお、図１７および図１８の処理の前に、図９に示すようなＩＣカードを用いた本人認証と同様の処理が行われているとする。その場合、ステップＳ３０９において、判定部１３は、制限情報における会員ＩＤと対応付けられた「利用可否」項目の情報に基づいて、利用可否を判定し、投票回数に関する判定は行わない。
【００８１】
会員が入出金機６の表示部６４に表示された項目のうち「出金」を選択すると、選択内容が制御ユニット６２に送信される（ステップＳ９０１）。制御ユニット６２は、出金の利用制限の確認を管理サーバ１に要求する（ステップＳ９０２）。管理サーバ１の判定部１３は、会員情報における所定期間内の出金金額が制限情報における所定期間内の出金上限未満であるか判定することにより出金可能かを判定する（ステップＳ９０３）。出金が可能であると判定された場合、通信部１４は、出金が可能であることを制御ユニット６２に通知する（ステップＳ９０４）。
【００８２】
制御ユニット６２は、表示部６４に出金金額を指定することを要求するメッセージを表示することにより、会員に出金金額の指定を要求する（ステップＳ９０５）。会員は、例えば、タッチパネル（表示部６４）から金額を入力することにより出金金額を指定する（ステップＳ９０６）。
【００８３】
制御ユニット６２は、出金金額を管理サーバ１に通知するとともに出金の利用制限の確認を管理サーバ１に要求する（ステップＳ９０７）。判定部１３は、今回の出金金額と会員情報における所定期間内の出金金額との合計が制限情報における所定期間内の出金上限以下であるか判定することにより出金可能かを判定する（ステップＳ９０８）。出金が可能であると判定された場合、通信部１４は、出金が可能であることを制御ユニット６２に通知する（ステップＳ９０９）。
【００８４】
制御ユニット６２は、ＩＣカードリーダ６１に動作指示を出力する（ステップＳ９１０）。ＩＣカードリーダ６１は、ＩＣカードを読み取る準備を行い、準備が完了したことを制御ユニット６２に通知する（ステップＳ９１１）。
【００８５】
制御ユニット６２は、表示部６４にＩＣカードをタッチさせる要求を表示させることにより、ＩＣカードをＩＣカードリーダ６１にタッチさせることを会員に要求する（ステップＳ９１２）。会員は、表示された要求に応じて、ＩＣカードをＩＣカードリーダ６１にタッチする（ステップＳ９１３）。ＩＣカードリーダ６１は、タッチされたＩＣカードの情報を読み取り、読み取った情報を制御ユニット６２に出力する（ステップＳ９１４）。
【００８６】
制御ユニット６２は、出金が確定したことを示す通知を管理サーバ１に送信する（ステップＳ９１５）。管理サーバ１は、会員情報の残金から出金金額を減算し、出金が完了したことを示す通知を制御ユニット６２に送信する（ステップＳ９１６）。制御ユニット６２は、出金指示を現金ユニット６３に送信する（ステップＳ９１７）。現金ユニット６３は、指定された金額の現金を出金する（ステップＳ９１８）。
【００８７】
図１９は、利用制限される場合の出金処理の一例を示すシーケンス図である。なお、図１９の処理の前に、図９に示すようなＩＣカードを用いた本人認証と同様の処理が行われているとする。その場合、ステップＳ３０９において、判定部１３は、制限情報における会員ＩＤと対応付けられた「利用可否」項目の情報に基づいて、利用可否を判定し、投票回数に関する判定は行わない。
【００８８】
会員が入出金機６の表示部６４に表示された項目のうち「出金」を選択すると、選択内容が制御ユニット６２に送信される（ステップＳ１００１）。制御ユニット６２は、出金の利用制限の確認を管理サーバ１に要求する（ステップＳ１００２）。管理サーバ１の判定部１３は、会員情報における所定期間内の出金金額が制限情報における所定期間内の出金上限未満であるかを判定することにより出金可能かを判定する（ステップＳ１００３）。通信部１４は、出金金額が出金上限以上であるため、出金不可であることを制御ユニット６２に通知する（ステップＳ１００４）。制御ユニット６２は、表示部６４に、出金が不可能であることを示すメッセージを表示させることにより、会員に出金不可を通知する（ステップＳ１００５）。
【００８９】
なお、図１７のステップＳ９０８で出金不可であると判定された場合も、ステップＳ１００４およびＳ１００５と同様の処理が行われる。例えば、判定部１３は、ステップＳ９０８において、今回の出金金額と会員情報における所定期間内の出金金額との合計が制限情報における所定期間内の出金上限を超える場合、出金不可であると判定する。
【００９０】
以上のように、管理サーバ１は、設定された出金上限により出金制限を行うことにより、利用者の過度な利用を抑制することができる。
【００９１】
図２０は、現金投票端末５の処理の一例を示すシーケンス図である。現金投票端末５の制御ユニット５２は、例えば、操作者から現金投票端末５に対する操作が行われた場合、顔認証センサ５１に動作を指示する（ステップＳ１１０１）。なお、操作者は会員でない可能性もあるが、図２０の例では、操作者が会員であるとする。顔認証センサ５１は、操作者の顔を撮影し（ステップＳ１１０２）、顔画像データを取得する（ステップＳ１１０３）。顔認証センサ５１は、顔画像データを制御ユニット５２に出力する（ステップＳ１１０４）。
【００９２】
制御ユニット５２は、顔画像データを管理サーバ１に送信し、登録されている顔画像データとの照合を要求する（ステップＳ１１０５）。ステップＳ１１０５の処理は、利用制限の確認要求に相当する。管理サーバ１の判定部１３は、制御ユニット５２から受信した顔画像データと制限情報に設定されている顔画像データとを照合し、会員が投票を利用可能か判定する（ステップＳ１１０６）。判定部１３は、例えば、現金投票端末５から受信した会員の顔画像データが、設定されているいずれかの顔画像データと一致する場合、会員が投票を利用不可であると判定する。すなわち、判定部１３は、現金投票端末５を操作する会員が利用制限設定されている場合、利用不可であると判定する。
【００９３】
ステップＳ１１０６において、受信した顔画像データと制限情報に含まれるいずれかの顔画像データが一致した場合、通信部１４は、利用不可であること示す通知を現金投票端末５の制御ユニット５２に送信する（ステップＳ１１０７）。制御ユニット５２は、利用制限されているため、利用不可であることを示すメッセージを表示部５４に表示させることにより、利用不可であることを会員に通知する（ステップＳ１１０８）。
【００９４】
すなわち、会員に利用制限設定がされている場合、利用制限内容に関わらず、現金投票端末５の利用を不可とする。これにより、会員が多額の現金を利用することを抑制することができる。
【００９５】
以上のように、管理サーバ１は、会員以外の制限設定者による利用制限を設定することにより、公営競技の投票に関して様々な制限を行うことが可能となり、利用者の過度な利用を抑制することができる。また、利用者がギャンブル依存症となることを防ぐことができる。
【００９６】
次に、ハードウェア構成について説明する。図２１は、管理サーバ１のハードウェア構成の一例を示す図である。図２１の例に示すように、管理サーバ１において、バス１００に、プロセッサ１１１とメモリ１１２と補助記憶装置１１３と通信インタフェース１１４と入力装置１１５と出力装置１１６とが接続される。
【００９７】
プロセッサ１１１は、メモリ１１２に展開されたプログラムを実行する。実行されるプログラムには、実施形態における処理を行うプログラムが適用されてもよい。メモリ１１２は、例えば、Random Access Memory(ＲＡＭ)である。補助記憶装置１１３は、種々の情報を記憶する記憶装置であり、例えばハードディスクドライブや半導体メモリ等が適用される。補助記憶装置１１３に実施形態の処理を行うプログラムが記憶される。
【００９８】
通信インタフェース１１４は、Local Area Network（ＬＡＮ）、Wide Area Network（ＷＡＮ）等の通信ネットワークに接続され、通信に伴うデータ変換等を行う。入力装置１１５は、例えば、キーボード、ポインティングデバイス等であり、利用者からの指示及び情報等の入力を受け付ける。出力装置１１６は、例えば、表示装置、プリンタ、スピーカ等であり、利用者への問い合わせ又は指示、及び処理結果等を出力する。
【００９９】
図１に示す記憶部１５は、メモリ１１２または補助記憶装置１１３により実現されてもよい。図１に示す登録部１１、設定部１２および判定部１３は、メモリ１１２に展開された管理プログラムをプロセッサ１１１が実行することにより実現されてもよい。メモリ１１２および補助記憶装置１１３は、コンピュータが読み取り可能であって非一時的な有形の記憶媒体であり、信号搬送波のような一時的な媒体ではない。
【０１００】
なお、投票サーバ２、Ｗｅｂサーバ７および情報処理端末８のハードウェア構成は、図２１に示す構成と同様であるとする。
【０１０１】
図２２は、キャッシュレス投票端末４のハードウェア構成の一例を示す図である。図２２の例に示すように、キャッシュレス投票端末４において、バス２００に、プロセッサ２１１とメモリ２１２と補助記憶装置２１３と通信インタフェース２１４と入出力装置２１５とカード読み取りユニット２１６とＩＣカードリーダ２１７とが接続される。
【０１０２】
プロセッサ２１１は、メモリ２１２に展開されたプログラムを実行する。実行されるプログラムには、実施形態における処理を行う管理プログラムが適用されてもよい。メモリ２１２は、例えば、ＲＡＭである。補助記憶装置２１３は、種々の情報を記憶する記憶装置であり、例えばハードディスクドライブや半導体メモリ等が適用される。補助記憶装置２１３に実施形態の処理を行うプログラムが記憶される。
【０１０３】
通信インタフェース２１４は、ＬＡＮ、ＷＡＮ等の通信ネットワークに接続され、通信に伴うデータ変換等を行う。入出力装置２１５は、例えば、タッチパネルディスプレイであり、各種画面を表示し、利用者からの操作を受け付ける。入出力装置２１５は、図１に示す表示部４４に適用される。なお、キャッシュレス投票端末４は、ディスプレイとは別に利用者が操作可能なキーを有していてもよい。
【０１０４】
カード読み取りユニット２１６は、例えば、光学式マーク認識を用いて、投票カードに記載された投票カードを読み取る。カード読み取りユニット２１６は、図１に示すカード読み取りユニット４３に適用される。ＩＣカードリーダ２１７は、例えば、非接触型のカードリーダであり、磁界を発生し電磁誘導を用いてＩＣカードのチップに記録されたデータを読み取る。ＩＣカードリーダ２１７は、図１に示すＩＣカードリーダ４１に適用される。
【０１０５】
図１に示す制御ユニット４２は、メモリ２１２に展開された管理プログラムをプロセッサ２１１が実行することにより実現されてもよい。メモリ２１２および補助記憶装置２１３は、コンピュータが読み取り可能であって非一時的な有形の記憶媒体であり、信号搬送波のような一時的な媒体ではない。
【０１０６】
図２３は、現金投票端末５のハードウェア構成の一例を示す図である。図２３の例に示すように、現金投票端末５において、バス３００に、プロセッサ３１１とメモリ３１２と補助記憶装置３１３と通信インタフェース３１４と入出力装置３１５とカード読み取りユニット３１６と現金ユニット３１７と撮影装置３１８とが接続される。
【０１０７】
プロセッサ３１１は、メモリ３１２に展開されたプログラムを実行する。実行されるプログラムには、実施形態における処理を行う管理プログラムが適用されてもよい。メモリ３１２は、例えば、ＲＡＭである。補助記憶装置３１３は、種々の情報を記憶する記憶装置であり、例えばハードディスクドライブや半導体メモリ等が適用される。補助記憶装置３１３に実施形態の処理を行うプログラムが記憶される。
【０１０８】
通信インタフェース３１４は、ＬＡＮ、ＷＡＮ等の通信ネットワークに接続され、通信に伴うデータ変換等を行う。入出力装置３１５は、例えば、タッチパネルディスプレイであり、各種画面を表示し、利用者からの操作を受け付ける。入出力装置３１５は、図１に示す表示部５４に適用される。なお、現金投票端末５は、ディスプレイとは別に利用者が操作可能なキーを有していてもよい。
【０１０９】
カード読み取りユニット３１６は、例えば、光学式マーク認識を用いて、投票カードに記載された投票カードを読み取る。カード読み取りユニット３１６は、図１に示すカード読み取りユニット５３に適用される。現金ユニット３１７は、現金の入金および出金が可能な入出金口を含む。現金ユニット３１７は、図１に示す現金ユニット５５に適用される。撮影装置３１８は、現金投票端末５の利用者の顔を撮影し、通信インタフェース３１４を介して生成した顔画像データを管理サーバ１に送信する。撮影装置３１８は、図１に示す顔認証センサ５１に適用される。
【０１１０】
図１に示す制御ユニット５２は、メモリ３１２に展開された管理プログラムをプロセッサ３１１が実行することにより実現されてもよい。メモリ３１２および補助記憶装置３１３は、コンピュータが読み取り可能であって非一時的な有形の記憶媒体であり、信号搬送波のような一時的な媒体ではない。
【０１１１】
図２４は、入出金機６のハードウェア構成の一例を示す図である。図２４の例に示すように、入出金機６において、バス４００に、プロセッサ４１１とメモリ４１２と補助記憶装置４１３と通信インタフェース４１４と入出力装置４１５とＩＣカードリーダ４１６と現金ユニット４１７とが接続される。
【０１１２】
プロセッサ４１１は、メモリ４１２に展開されたプログラムを実行する。実行されるプログラムには、実施形態における処理を行う管理プログラムが適用されてもよい。メモリ４１２は、例えば、ＲＡＭである。補助記憶装置４１３は、種々の情報を記憶する記憶装置であり、例えばハードディスクドライブや半導体メモリ等が適用される。補助記憶装置４１３に実施形態の処理を行うプログラムが記憶される。
【０１１３】
通信インタフェース４１４は、ＬＡＮ、ＷＡＮ等の通信ネットワークに接続され、通信に伴うデータ変換等を行う。入出力装置４１５は、例えば、タッチパネルディスプレイであり、各種画面を表示し、利用者からの操作を受け付ける。入出力装置４１５は、図１に示す表示部６４に適用される。なお、入出金機６は、ディスプレイとは別に利用者が操作可能なキーを有していてもよい。
【０１１４】
ＩＣカードリーダ４１６は、例えば、非接触型のカードリーダであり、磁界を発生し電磁誘導を用いてＩＣカードのチップに記録されたデータを読み取る。ＩＣカードリーダ４１６は、図１に示すＩＣカードリーダ６１に適用される。現金ユニット４１７は、現金の入金および出金が可能な入出金口を含む。現金ユニット４１７は、図１に示す現金ユニット６３に適用される。
【０１１５】
図１に示す制御ユニット６２は、メモリ４１２に展開された管理プログラムをプロセッサ４１１が実行することにより実現されてもよい。メモリ４１２および補助記憶装置４１３は、コンピュータが読み取り可能であって非一時的な有形の記憶媒体であり、信号搬送波のような一時的な媒体ではない。
【０１１６】
本実施形態は、以上に述べた実施の形態に限定されるものではなく、本実施形態の要旨を逸脱しない範囲内で様々な変更、追加、省略が適用可能である。
【符号の説明】
【０１１７】
１    管理サーバ
２    投票サーバ
３    ネットワーク機器
４    キャッシュレス投票端末
５    現金投票端末
６    入出金機
７    Ｗｅｂサーバ
８    情報処理端末
１１    登録部
１２    設定部
１３    判定部
１４    通信部
１５    記憶部
４１    ＩＣカードリーダ
４２    制御ユニット
４３    カード読み取りユニット
４４    表示部
５１    顔認証センサ
５２    制御ユニット
５３    カード読み取りユニット
５４    表示部
５５    現金ユニット
６１    ＩＣカードリーダ
６２    制御ユニット
６３    現金ユニット
６４    表示部
７１    表示制御部
７２    通信部
【図１】
2020087064.tif 000003
【図２】
2020087064.tif 000004
【図３】
2020087064.tif 000005
【図４】
2020087064.tif 000006
【図５】
2020087064.tif 000007
【図６】
2020087064.tif 000008
【図７】
2020087064.tif 000009
【図８】
2020087064.tif 000010
【図９】
2020087064.tif 000011
【図１０】
2020087064.tif 000012
【図１１】
2020087064.tif 000013
【図１２】
2020087064.tif 000014
【図１３】
2020087064.tif 000015
【図１４】
2020087064.tif 000016
【図１５】
2020087064.tif 000017
【図１６】
2020087064.tif 000018
【図１７】
2020087064.tif 000019
【図１８】
2020087064.tif 000020
【図１９】
2020087064.tif 000021
【図２０】
2020087064.tif 000022
【図２１】
2020087064.tif 000023
【図２２】
2020087064.tif 000024
【図２３】
2020087064.tif 000025
【図２４】
2020087064.tif 000026